(57)【特許請求の範囲】
【請求項１】
物体側から像側に順に、
正の屈折力を有する第１レンズ群と、
明るさ絞りと、
正の屈折力を有する第２レンズ群と、
第３レンズ群と、からなり、
前記第１レンズ群は少なくとも４枚のレンズを有し、
前記第１レンズ群は複数の負レンズと少なくとも１枚の正レンズを有し、且つ、前記第１レンズ群中の最も物体側のレンズは前記複数の負レンズのうち何れかの負レンズであり、
前記第２レンズ群は少なくとも１枚の負レンズと少なくとも１枚の正レンズを有し、
無限遠物体から近距離物体への合焦の際に、前記明るさ絞りとの距離を狭め、且つ前記第３レンズ群との距離を広げるように、前記第２レンズ群は物体側に移動し、
以下の条件式（１−１）、（２−２）を満足することを特徴とするインナーフォーカスレンズ系。
１＜ｆ1／ｆ＜９      （１−１）
０．９５＜ｆ23／ｆ2＜２      （２−２）
ただし、
ｆ1は前記第１レンズ群の焦点距離、
ｆは無限遠物体合焦時の前記インナーフォーカスレンズ系全系の焦点距離、
ｆ23は無限遠物体合焦時の前記第２レンズ群と前記第３レンズ群との合成焦点距離、
ｆ2は前記第２レンズ群の焦点距離、
である。
【請求項２】
物体側から像側に順に、
正の屈折力を有する第１レンズ群と、
明るさ絞りと、
正の屈折力を有する第２レンズ群と、
第３レンズ群と、からなり、
前記第１レンズ群は複数の負レンズと少なくとも１枚の正レンズを有し、且つ、前記第１レンズ群中の最も物体側のレンズは前記複数の負レンズのうち何れかの負レンズであり、
前記第２レンズ群は少なくとも１枚の負レンズと少なくとも１枚の正レンズを有し、
無限遠物体から近距離物体への合焦の際に、前記明るさ絞りとの距離を狭め、且つ前記第３レンズ群との距離を広げるように、前記第２レンズ群は物体側に移動し、
以下の条件式（１）、（２−３）を満足し、
前記第１レンズ群は、前記最も物体側の負レンズよりも像側に、前記負レンズと前記正レンズが接合された接合レンズを有し、４枚のレンズを有することを特徴とするインナーフォーカスレンズ系。
１＜ｆ1／ｆ＜１４      （１）
０．８＜ｆ23／ｆ2＜２      （２−３）
ただし、
ｆ1は前記第１レンズ群の焦点距離、
ｆは無限遠物体合焦時の前記インナーフォーカスレンズ系全系の焦点距離、
ｆ23は無限遠物体合焦時の前記第２レンズ群と前記第３レンズ群との合成焦点距離、
ｆ2は前記第２レンズ群の焦点距離、
である。
【請求項３】
物体側から像側に順に、
正の屈折力を有する第１レンズ群と、
明るさ絞りと、
正の屈折力を有する第２レンズ群と、
第３レンズ群と、からなり、
前記第１レンズ群は少なくとも４枚のレンズを有し、
前記第１レンズ群は複数の負レンズと少なくとも１枚の正レンズを有し、且つ、前記第１レンズ群中の最も物体側のレンズは前記複数の負レンズのうち何れかの負レンズであり、
前記第２レンズ群は少なくとも１枚の負レンズと少なくとも１枚の正レンズを有し、
無限遠物体から近距離物体への合焦の際に、前記明るさ絞りとの距離を狭め、且つ前記第３レンズ群との距離を広げるように、前記第２レンズ群は物体側に移動し、
以下の条件式（１−１）、（２−１）、（５−１）を満足することを特徴とするインナーフォーカスレンズ系。
１＜ｆ1／ｆ＜９      （１−１）
０．９５＜ｆ23／ｆ2＜３      （２−１）
−０．２≦ｆ／ｆ3＜０．５      （５−１）
ただし、
ｆ1は前記第１レンズ群の焦点距離、
ｆは無限遠物体合焦時の前記インナーフォーカスレンズ系全系の焦点距離、
ｆ23は無限遠物体合焦時の前記第２レンズ群と前記第３レンズ群との合成焦点距離、
ｆ2は前記第２レンズ群の焦点距離、
ｆ3は前記第３レンズ群の焦点距離、
である。
【請求項４】
物体側から像側に順に、
正の屈折力を有する第１レンズ群と、
明るさ絞りと、
正の屈折力を有する第２レンズ群と、
第３レンズ群と、からなり、
前記第１レンズ群は複数の負レンズと少なくとも１枚の正レンズを有し、且つ、前記第１レンズ群中の最も物体側のレンズは前記複数の負レンズのうち何れかの負レンズであり、
前記第２レンズ群は少なくとも１枚の負レンズと少なくとも１枚の正レンズを有し、
無限遠物体から近距離物体への合焦の際に、前記明るさ絞りとの距離を狭め、且つ前記第３レンズ群との距離を広げるように、前記第２レンズ群は物体側に移動し、
以下の条件式（１）、（２）、（５−１）を満足し、
前記第１レンズ群は、前記最も物体側の負レンズよりも像側に、前記負レンズと前記正レンズが接合された接合レンズを有し、４枚のレンズを有することを特徴とするインナーフォーカスレンズ系。
１＜ｆ1／ｆ＜１４      （１）
０．８＜ｆ23／ｆ2＜３      （２）
−０．２≦ｆ／ｆ3＜０．５      （５−１）
ただし、
ｆ1は前記第１レンズ群の焦点距離、
ｆは無限遠物体合焦時の前記インナーフォーカスレンズ系全系の焦点距離、
ｆ23は無限遠物体合焦時の前記第２レンズ群と前記第３レンズ群との合成焦点距離、
ｆ2は前記第２レンズ群の焦点距離、
ｆ3は前記第３レンズ群の焦点距離、
である。
【請求項５】
物体側から像側に順に、
正の屈折力を有する第１レンズ群と、
明るさ絞りと、
正の屈折力を有する第２レンズ群と、
第３レンズ群と、からなり、
前記第１レンズ群は少なくとも４枚のレンズを有し、
前記第１レンズ群は複数の負レンズと少なくとも１枚の正レンズを有し、且つ、前記第１レンズ群中の最も物体側のレンズは前記複数の負レンズのうち何れかの負レンズであり、
前記第２レンズ群は物体側より順に、負レンズ、正レンズ、正レンズからなり、
無限遠物体から近距離物体への合焦の際に、前記明るさ絞りとの距離を狭め、且つ前記第３レンズ群との距離を広げるように、前記第２レンズ群は物体側に移動し、
以下の条件式（１−１）、（２−１）を満足することを特徴とするインナーフォーカスレンズ系。
１＜ｆ1／ｆ＜９      （１−１）
０．９５＜ｆ23／ｆ2＜３      （２−１）
ただし、
ｆ1は前記第１レンズ群の焦点距離、
ｆは無限遠物体合焦時の前記インナーフォーカスレンズ系全系の焦点距離、
ｆ23は無限遠物体合焦時の前記第２レンズ群と前記第３レンズ群との合成焦点距離、
ｆ2は前記第２レンズ群の焦点距離、
である。
【請求項６】
物体側から像側に順に、
正の屈折力を有する第１レンズ群と、
明るさ絞りと、
正の屈折力を有する第２レンズ群と、
第３レンズ群と、からなり、
前記第１レンズ群は複数の負レンズと少なくとも１枚の正レンズを有し、且つ、前記第１レンズ群中の最も物体側のレンズは前記複数の負レンズのうち何れかの負レンズであり、
前記第２レンズ群は物体側より順に、負レンズ、正レンズ、正レンズからなり、
無限遠物体から近距離物体への合焦の際に、前記明るさ絞りとの距離を狭め、且つ前記第３レンズ群との距離を広げるように、前記第２レンズ群は物体側に移動し、
以下の条件式（１）、（２）を満足し、
前記第１レンズ群は、前記最も物体側の負レンズよりも像側に、前記負レンズと前記正レンズが接合された接合レンズを有し、４枚のレンズを有することを特徴とするインナーフォーカスレンズ系。
１＜ｆ1／ｆ＜１４      （１）
０．８＜ｆ23／ｆ2＜３      （２）
ただし、
ｆ1は前記第１レンズ群の焦点距離、
ｆは無限遠物体合焦時の前記インナーフォーカスレンズ系全系の焦点距離、
ｆ23は無限遠物体合焦時の前記第２レンズ群と前記第３レンズ群との合成焦点距離、
ｆ2は前記第２レンズ群の焦点距離、
である。
【請求項７】
前記第３レンズ群は正の屈折力を持つことを特徴とする請求項１から６のいずれか１項に記載のインナーフォーカスレンズ系。
【請求項８】
前記第３レンズ群は負の屈折力を持つことを特徴とする請求項１から６のいずれか１項に記載のインナーフォーカスレンズ系。
【請求項９】
前記第３レンズ群が負の屈折力の単レンズからなることを特徴とする請求項８に記載のインナーフォーカスレンズ系。
【請求項１０】
物体側から像側に順に、
正の屈折力を有する第１レンズ群と、
明るさ絞りと、
正の屈折力を有する第２レンズ群と、
正の屈折力を有する第３レンズ群と、からなり、
前記第１レンズ群は少なくとも４枚のレンズを有し、
前記第１レンズ群は複数の負レンズと少なくとも１枚の正レンズを有し、且つ、前記第１レンズ群中の最も物体側のレンズは前記複数の負レンズのうち何れかの負レンズであり、
前記第２レンズ群は少なくとも１枚の負レンズと少なくとも１枚の正レンズを有し、
無限遠物体から近距離物体への合焦の際に、前記明るさ絞りとの距離を狭め、且つ前記第３レンズ群との距離を広げるように、前記第２レンズ群は物体側に移動し、
以下の条件式（１−１）、（２−１）を満足することを特徴とするインナーフォーカスレンズ系。
１＜ｆ1／ｆ＜９      （１−１）
０．９５＜ｆ23／ｆ2＜３      （２−１）
ただし、
ｆ1は前記第１レンズ群の焦点距離、
ｆは無限遠物体合焦時の前記インナーフォーカスレンズ系全系の焦点距離、
ｆ23は無限遠物体合焦時の前記第２レンズ群と前記第３レンズ群との合成焦点距離、
ｆ2は前記第２レンズ群の焦点距離、
である。
【請求項１１】
物体側から像側に順に、
正の屈折力を有する第１レンズ群と、
明るさ絞りと、
正の屈折力を有する第２レンズ群と、
正の屈折力を有する第３レンズ群と、からなり、
前記第１レンズ群は複数の負レンズと少なくとも１枚の正レンズを有し、且つ、前記第１レンズ群中の最も物体側のレンズは前記複数の負レンズのうち何れかの負レンズであり、
前記第２レンズ群は少なくとも１枚の負レンズと少なくとも１枚の正レンズを有し、
無限遠物体から近距離物体への合焦の際に、前記明るさ絞りとの距離を狭め、且つ前記第３レンズ群との距離を広げるように、前記第２レンズ群は物体側に移動し、
以下の条件式（１）、（２）を満足し、
前記第１レンズ群は、前記最も物体側の負レンズよりも像側に、前記負レンズと前記正レンズが接合された接合レンズを有し、４枚のレンズを有することを特徴とするインナーフォーカスレンズ系。
１＜ｆ1／ｆ＜１４      （１）
０．８＜ｆ23／ｆ2＜３      （２）
ただし、
ｆ1は前記第１レンズ群の焦点距離、
ｆは無限遠物体合焦時の前記インナーフォーカスレンズ系全系の焦点距離、
ｆ23は無限遠物体合焦時の前記第２レンズ群と前記第３レンズ群との合成焦点距離、
ｆ2は前記第２レンズ群の焦点距離、
である。
【請求項１２】
物体側から像側に順に、
正の屈折力を有する第１レンズ群と、
明るさ絞りと、
正の屈折力を有する第２レンズ群と、
負の屈折力を有する第３レンズ群と、からなり、
前記第１レンズ群は少なくとも４枚のレンズを有し、
前記第１レンズ群は複数の負レンズと少なくとも１枚の正レンズを有し、且つ、前記第１レンズ群中の最も物体側のレンズは前記複数の負レンズのうち何れかの負レンズであり、
前記第２レンズ群は少なくとも１枚の負レンズと少なくとも１枚の正レンズを有し、
前記第３レンズ群が負の屈折力の単レンズからなり、
無限遠物体から近距離物体への合焦の際に、前記明るさ絞りとの距離を狭め、且つ前記第３レンズ群との距離を広げるように、前記第２レンズ群は物体側に移動し、
以下の条件式（１−１）、（２−１）を満足することを特徴とするインナーフォーカスレンズ系。
１＜ｆ1／ｆ＜９      （１−１）
０．９５＜ｆ23／ｆ2＜３      （２−１）
ただし、
ｆ1は前記第１レンズ群の焦点距離、
ｆは無限遠物体合焦時の前記インナーフォーカスレンズ系全系の焦点距離、
ｆ23は無限遠物体合焦時の前記第２レンズ群と前記第３レンズ群との合成焦点距離、
ｆ2は前記第２レンズ群の焦点距離、
である。
【請求項１３】
物体側から像側に順に、
正の屈折力を有する第１レンズ群と、
明るさ絞りと、
正の屈折力を有する第２レンズ群と、
負の屈折力を有する第３レンズ群と、からなり、
前記第１レンズ群は複数の負レンズと少なくとも１枚の正レンズを有し、且つ、前記第１レンズ群中の最も物体側のレンズは前記複数の負レンズのうち何れかの負レンズであり、
前記第２レンズ群は少なくとも１枚の負レンズと少なくとも１枚の正レンズを有し、
前記第３レンズ群が負の屈折力の単レンズからなり、
無限遠物体から近距離物体への合焦の際に、前記明るさ絞りとの距離を狭め、且つ前記第３レンズ群との距離を広げるように、前記第２レンズ群は物体側に移動し、
以下の条件式（１）、（２）を満足し、
前記第１レンズ群は、前記最も物体側の負レンズよりも像側に、前記負レンズと前記正レンズが接合された接合レンズを有し、４枚のレンズを有することを特徴とするインナーフォーカスレンズ系。
１＜ｆ1／ｆ＜１４      （１）
０．８＜ｆ23／ｆ2＜３      （２）
ただし、
ｆ1は前記第１レンズ群の焦点距離、
ｆは無限遠物体合焦時の前記インナーフォーカスレンズ系全系の焦点距離、
ｆ23は無限遠物体合焦時の前記第２レンズ群と前記第３レンズ群との合成焦点距離、
ｆ2は前記第２レンズ群の焦点距離、
である。
【請求項１４】
前記第３レンズ群は少なくとも１枚の負レンズを含むことを特徴とする請求項１から８、１０、１１のいずれか１項に記載のインナーフォーカスレンズ系。
【請求項１５】
前記第３レンズ群は少なくとも１枚の正レンズと少なくとも１枚の負レンズを含むことを特徴とする請求項１から８、１０、１１、１４のいずれか１項に記載のインナーフォーカスレンズ系。
【請求項１６】
以下の条件式（３）を満足することを特徴とする請求項１から１５のいずれか１項に記載のインナーフォーカスレンズ系。
２＜ＴＬ/ｆ＜４      （３）
ただし、
ＴＬは前記インナーフォーカスレンズ系の最物体側面から最像側面までの軸上距離とバックフォーカスとの和、
ｆは無限遠物体合焦時の前記インナーフォーカスレンズ系全系の焦点距離、
である。
【請求項１７】
前記第２レンズ群は物体側より順に、負レンズ、正レンズ、正レンズからなることを特徴とする請求項１から１６のいずれか１項に記載のインナーフォーカスレンズ系。
【請求項１８】
前記第３レンズ群中の前記少なくとも１枚の負レンズが以下の条件式（４）を満足することを特徴とする請求項１４または１５に記載のインナーフォーカスレンズ系。
−５０＜ｆ3n／ｆ＜−０．５      （４）
ただし、
ｆ3nは前記第３レンズ群中の少なくとも１枚の負レンズの焦点距離、
ｆは無限遠物体合焦時の前記インナーフォーカスレンズ系全系の焦点距離、
である。
【請求項１９】
前記インナーフォーカスレンズ系のＦナンバーが２以下であり、
前記明るさ絞りの中心を通過して最大像高位置に入射する光線の半画角が３０°を上回ることを特徴とする請求項１から１８のいずれか１項に記載のインナーフォーカスレンズ系。
【請求項２０】
以下の条件式（５）を満足することを特徴とする請求項１から１９のいずれか１項に記載のインナーフォーカスレンズ系。
−１＜ｆ／ｆ3＜０．５      （５）
ただし、
ｆ3は前記第３レンズ群の焦点距離、
ｆは無限遠物体合焦時の前記インナーフォーカスレンズ系全系の焦点距離、
である。
【請求項２１】
前記無限遠物体から近距離物体への合焦の際に、前記第１レンズ群と前記第３レンズ群の位置が固定であることを特徴とする請求項１から２０のいずれか１項に記載のインナーフォーカスレンズ系。
【請求項２２】
請求項１から２１のいずれか１項に記載のインナーフォーカスレンズ系と、
前記インナーフォーカスレンズ系の像側に配置され、前記インナーフォーカスレンズ系により形成された像を電気信号に変換する撮像素子とを有することを特徴とする撮像装置。
【発明の詳細な説明】
【技術分野】
【０００１】
本発明は、インナーフォーカスレンズ系及びそれを備えた撮像装置に関する。
【背景技術】
【０００２】
従来、写真カメラやスチルビデオカメラに用いられる広角レンズとして、所謂ガウスタイプの広角レンズが知られている。ガウスタイプのレンズ系は、屈折力配置が開口絞りを挟んで略対称になっているレンズ系である。ガウスタイプのレンズ系として、特許文献１や特許文献２に記載のレンズ系がある。特許文献１や特許文献２に記載のレンズ系は、Ｆ２．８程度の広角レンズである。
【０００３】
また、同様のガウスタイプのレンズ系として、特許文献３に記載のレンズ系がある。特許文献３に記載のレンズ系は、大口径（Ｆ１．８程度）の標準レンズである。また、更なる大口径化（Ｆ１．４程度）を実現したレンズ系として、特許文献４に記載のレンズ系がある。
【０００４】
上記の特許文献に記載のガウスタイプのレンズ系では、開口絞りよりも像側に正の屈折力を有するレンズ群が配置され、この正の屈折力を有するレンズ群全体を繰り出している（物体側に移動させている）。このように、上記の特許文献に記載のガウスタイプのレンズ系は、所謂リアフォーカス方式のレンズ系となっている。
【先行技術文献】
【特許文献】
【０００５】
【特許文献１】特開２００３−２４１０８４号公報
【特許文献２】特開２００９−２５８１５７号公報
【特許文献３】特開２００９−２３７５４２号公報
【特許文献４】特開２０１０−６６４３２号公報
【発明の概要】
【発明が解決しようとする課題】
【０００６】
しかしながら、特許文献１や特許文献２に記載のレンズ系を更に大口径化しようとすると、近距離物体への合焦時の収差変動が大きくなりやすい。よって、特許文献１や特許文献２に記載のレンズ系は、レンズ系の充分な小型化の達成に不利である。
【０００７】
また、特許文献３に記載のレンズ系はＦ１．８程度の明るさを確保しているが、画角は小さめである。また、特許文献４に記載のレンズ系は大口径化を達成しているものの、レンズ系が大型化している。
【０００８】
本発明は、このような課題に鑑みてなされたものであって、広画角でありながら、明るく小型で、良好な結像性能を有するインナーフォーカスレンズ系、及びこのインナーフォーカスレンズ系を備えた撮像装置を提供することを目的とする。
【課題を解決するための手段】
【０００９】
上述した課題を解決し、目的を達成するために、本発明のインナーフォーカスレンズ系は、物体側から像側に順に、
正の屈折力を有する第１レンズ群と、
明るさ絞りと、
正の屈折力を有する第２レンズ群と、
第３レンズ群と、からなり、
前記第１レンズ群は少なくとも４枚のレンズを有し、
前記第１レンズ群は複数の負レンズと少なくとも１枚の正レンズを有し、且つ、前記第１レンズ群中の最も物体側のレンズは前記複数の負レンズのうち何れかの負レンズであり、
前記第２レンズ群は少なくとも１枚の負レンズと少なくとも１枚の正レンズを有し、
無限遠物体から近距離物体への合焦の際に、前記明るさ絞りとの距離を狭め、且つ前記第３レンズ群との距離を広げるように、前記第２レンズ群は物体側に移動し、
以下の条件式（１−１）、（２−２）を満足することを特徴とする。
１＜ｆ1／ｆ＜９      （１−１）
０．９５＜ｆ23／ｆ2＜２      （２−２）
ただし、
ｆ1は前記第１レンズ群の焦点距離、
ｆは無限遠物体合焦時の前記インナーフォーカスレンズ系全系の焦点距離、
ｆ23は無限遠物体合焦時の前記第２レンズ群と前記第３レンズ群との合成焦点距離、
ｆ2は前記第２レンズ群の焦点距離、
である。
また、本発明の別のインナーフォーカスレンズ系は、物体側から像側に順に、
正の屈折力を有する第１レンズ群と、
明るさ絞りと、
正の屈折力を有する第２レンズ群と、
第３レンズ群と、からなり、
前記第１レンズ群は複数の負レンズと少なくとも１枚の正レンズを有し、且つ、前記第１レンズ群中の最も物体側のレンズは前記複数の負レンズのうち何れかの負レンズであり、
前記第２レンズ群は少なくとも１枚の負レンズと少なくとも１枚の正レンズを有し、
無限遠物体から近距離物体への合焦の際に、前記明るさ絞りとの距離を狭め、且つ前記第３レンズ群との距離を広げるように、前記第２レンズ群は物体側に移動し、
以下の条件式（１）、（２−３）を満足し、
前記第１レンズ群は、前記最も物体側の負レンズよりも像側に、前記負レンズと前記正レンズが接合された接合レンズを有し、４枚のレンズを有することを特徴とする。
１＜ｆ1／ｆ＜１４      （１）
０．８＜ｆ23／ｆ2＜２      （２−３）
ただし、
ｆ1は前記第１レンズ群の焦点距離、
ｆは無限遠物体合焦時の前記インナーフォーカスレンズ系全系の焦点距離、
ｆ23は無限遠物体合焦時の前記第２レンズ群と前記第３レンズ群との合成焦点距離、
ｆ2は前記第２レンズ群の焦点距離、
である。
また、本発明の別のインナーフォーカスレンズ系は、物体側から像側に順に、
正の屈折力を有する第１レンズ群と、
明るさ絞りと、
正の屈折力を有する第２レンズ群と、
第３レンズ群と、からなり、
前記第１レンズ群は少なくとも４枚のレンズを有し、
前記第１レンズ群は複数の負レンズと少なくとも１枚の正レンズを有し、且つ、前記第１レンズ群中の最も物体側のレンズは前記複数の負レンズのうち何れかの負レンズであり、
前記第２レンズ群は少なくとも１枚の負レンズと少なくとも１枚の正レンズを有し、
無限遠物体から近距離物体への合焦の際に、前記明るさ絞りとの距離を狭め、且つ前記第３レンズ群との距離を広げるように、前記第２レンズ群は物体側に移動し、
以下の条件式（１−１）、（２−１）、（５−１）を満足することを特徴とする。
１＜ｆ1／ｆ＜９      （１−１）
０．９５＜ｆ23／ｆ2＜３      （２−１）
−０．２≦ｆ／ｆ3＜０．５      （５−１）
ただし、
ｆ1は前記第１レンズ群の焦点距離、
ｆは無限遠物体合焦時の前記インナーフォーカスレンズ系全系の焦点距離、
ｆ23は無限遠物体合焦時の前記第２レンズ群と前記第３レンズ群との合成焦点距離、
ｆ2は前記第２レンズ群の焦点距離、
ｆ3は前記第３レンズ群の焦点距離、
である。
また、本発明の別のインナーフォーカスレンズ系は、物体側から像側に順に、
正の屈折力を有する第１レンズ群と、
明るさ絞りと、
正の屈折力を有する第２レンズ群と、
第３レンズ群と、からなり、
前記第１レンズ群は複数の負レンズと少なくとも１枚の正レンズを有し、且つ、前記第１レンズ群中の最も物体側のレンズは前記複数の負レンズのうち何れかの負レンズであり、
前記第２レンズ群は少なくとも１枚の負レンズと少なくとも１枚の正レンズを有し、
無限遠物体から近距離物体への合焦の際に、前記明るさ絞りとの距離を狭め、且つ前記第３レンズ群との距離を広げるように、前記第２レンズ群は物体側に移動し、
以下の条件式（１）、（２）、（５−１）を満足し、
前記第１レンズ群は、前記最も物体側の負レンズよりも像側に、前記負レンズと前記正レンズが接合された接合レンズを有し、４枚のレンズを有することを特徴とする。
１＜ｆ1／ｆ＜１４      （１）
０．８＜ｆ23／ｆ2＜３      （２）
−０．２≦ｆ／ｆ3＜０．５      （５−１）
ただし、
ｆ1は前記第１レンズ群の焦点距離、
ｆは無限遠物体合焦時の前記インナーフォーカスレンズ系全系の焦点距離、
ｆ23は無限遠物体合焦時の前記第２レンズ群と前記第３レンズ群との合成焦点距離、
ｆ2は前記第２レンズ群の焦点距離、
ｆ3は前記第３レンズ群の焦点距離、
である。
また、本発明の別のインナーフォーカスレンズ系は、物体側から像側に順に、
正の屈折力を有する第１レンズ群と、
明るさ絞りと、
正の屈折力を有する第２レンズ群と、
第３レンズ群と、からなり、
前記第１レンズ群は少なくとも４枚のレンズを有し、
前記第１レンズ群は複数の負レンズと少なくとも１枚の正レンズを有し、且つ、前記第１レンズ群中の最も物体側のレンズは前記複数の負レンズのうち何れかの負レンズであり、
前記第２レンズ群は物体側より順に、負レンズ、正レンズ、正レンズからなり、
無限遠物体から近距離物体への合焦の際に、前記明るさ絞りとの距離を狭め、且つ前記第３レンズ群との距離を広げるように、前記第２レンズ群は物体側に移動し、
以下の条件式（１−１）、（２−１）を満足することを特徴とする。
１＜ｆ1／ｆ＜９      （１−１）
０．９５＜ｆ23／ｆ2＜３      （２−１）
ただし、
ｆ1は前記第１レンズ群の焦点距離、
ｆは無限遠物体合焦時の前記インナーフォーカスレンズ系全系の焦点距離、
ｆ23は無限遠物体合焦時の前記第２レンズ群と前記第３レンズ群との合成焦点距離、
ｆ2は前記第２レンズ群の焦点距離、
である。
また、本発明の別のインナーフォーカスレンズ系は、物体側から像側に順に、
正の屈折力を有する第１レンズ群と、
明るさ絞りと、
正の屈折力を有する第２レンズ群と、
第３レンズ群と、からなり、
前記第１レンズ群は複数の負レンズと少なくとも１枚の正レンズを有し、且つ、前記第１レンズ群中の最も物体側のレンズは前記複数の負レンズのうち何れかの負レンズであり、
前記第２レンズ群は物体側より順に、負レンズ、正レンズ、正レンズからなり、
無限遠物体から近距離物体への合焦の際に、前記明るさ絞りとの距離を狭め、且つ前記第３レンズ群との距離を広げるように、前記第２レンズ群は物体側に移動し、
以下の条件式（１）、（２）を満足し、
前記第１レンズ群は、前記最も物体側の負レンズよりも像側に、前記負レンズと前記正レンズが接合された接合レンズを有し、４枚のレンズを有することを特徴とする。
１＜ｆ1／ｆ＜１４      （１）
０．８＜ｆ23／ｆ2＜３      （２）
ただし、
ｆ1は前記第１レンズ群の焦点距離、
ｆは無限遠物体合焦時の前記インナーフォーカスレンズ系全系の焦点距離、
ｆ23は無限遠物体合焦時の前記第２レンズ群と前記第３レンズ群との合成焦点距離、
ｆ2は前記第２レンズ群の焦点距離、
である。
また、本発明の別のインナーフォーカスレンズ系は、物体側から像側に順に、
正の屈折力を有する第１レンズ群と、
明るさ絞りと、
正の屈折力を有する第２レンズ群と、
正の屈折力を有する第３レンズ群と、からなり、
前記第１レンズ群は少なくとも４枚のレンズを有し、
前記第１レンズ群は複数の負レンズと少なくとも１枚の正レンズを有し、且つ、前記第１レンズ群中の最も物体側のレンズは前記複数の負レンズのうち何れかの負レンズであり、
前記第２レンズ群は少なくとも１枚の負レンズと少なくとも１枚の正レンズを有し、
無限遠物体から近距離物体への合焦の際に、前記明るさ絞りとの距離を狭め、且つ前記第３レンズ群との距離を広げるように、前記第２レンズ群は物体側に移動し、
以下の条件式（１−１）、（２−１）を満足することを特徴とする。
１＜ｆ1／ｆ＜９      （１−１）
０．９５＜ｆ23／ｆ2＜３      （２−１）
ただし、
ｆ1は前記第１レンズ群の焦点距離、
ｆは無限遠物体合焦時の前記インナーフォーカスレンズ系全系の焦点距離、
ｆ23は無限遠物体合焦時の前記第２レンズ群と前記第３レンズ群との合成焦点距離、
ｆ2は前記第２レンズ群の焦点距離、
である。
また、本発明の別のインナーフォーカスレンズ系は、物体側から像側に順に、
正の屈折力を有する第１レンズ群と、
明るさ絞りと、
正の屈折力を有する第２レンズ群と、
正の屈折力を有する第３レンズ群と、からなり、
前記第１レンズ群は複数の負レンズと少なくとも１枚の正レンズを有し、且つ、前記第１レンズ群中の最も物体側のレンズは前記複数の負レンズのうち何れかの負レンズであり、
前記第２レンズ群は少なくとも１枚の負レンズと少なくとも１枚の正レンズを有し、
無限遠物体から近距離物体への合焦の際に、前記明るさ絞りとの距離を狭め、且つ前記第３レンズ群との距離を広げるように、前記第２レンズ群は物体側に移動し、
以下の条件式（１）、（２）を満足し、
前記第１レンズ群は、前記最も物体側の負レンズよりも像側に、前記負レンズと前記正レンズが接合された接合レンズを有し、４枚のレンズを有することを特徴とする。
１＜ｆ1／ｆ＜１４      （１）
０．８＜ｆ23／ｆ2＜３      （２）
ただし、
ｆ1は前記第１レンズ群の焦点距離、
ｆは無限遠物体合焦時の前記インナーフォーカスレンズ系全系の焦点距離、
ｆ23は無限遠物体合焦時の前記第２レンズ群と前記第３レンズ群との合成焦点距離、
ｆ2は前記第２レンズ群の焦点距離、
である。
また、本発明の別のインナーフォーカスレンズ系は、物体側から像側に順に、
正の屈折力を有する第１レンズ群と、
明るさ絞りと、
正の屈折力を有する第２レンズ群と、
負の屈折力を有する第３レンズ群と、からなり、
前記第１レンズ群は少なくとも４枚のレンズを有し、
前記第１レンズ群は複数の負レンズと少なくとも１枚の正レンズを有し、且つ、前記第１レンズ群中の最も物体側のレンズは前記複数の負レンズのうち何れかの負レンズであり、
前記第２レンズ群は少なくとも１枚の負レンズと少なくとも１枚の正レンズを有し、
前記第３レンズ群が負の屈折力の単レンズからなり、
無限遠物体から近距離物体への合焦の際に、前記明るさ絞りとの距離を狭め、且つ前記第３レンズ群との距離を広げるように、前記第２レンズ群は物体側に移動し、
以下の条件式（１−１）、（２−１）を満足することを特徴とする。
１＜ｆ1／ｆ＜９      （１−１）
０．９５＜ｆ23／ｆ2＜３      （２−１）
ただし、
ｆ1は前記第１レンズ群の焦点距離、
ｆは無限遠物体合焦時の前記インナーフォーカスレンズ系全系の焦点距離、
ｆ23は無限遠物体合焦時の前記第２レンズ群と前記第３レンズ群との合成焦点距離、
ｆ2は前記第２レンズ群の焦点距離、
である。
また、本発明の別のインナーフォーカスレンズ系は、物体側から像側に順に、
正の屈折力を有する第１レンズ群と、
明るさ絞りと、
正の屈折力を有する第２レンズ群と、
負の屈折力を有する第３レンズ群と、からなり、
前記第１レンズ群は複数の負レンズと少なくとも１枚の正レンズを有し、且つ、前記第１レンズ群中の最も物体側のレンズは前記複数の負レンズのうち何れかの負レンズであり、
前記第２レンズ群は少なくとも１枚の負レンズと少なくとも１枚の正レンズを有し、
前記第３レンズ群が負の屈折力の単レンズからなり、
無限遠物体から近距離物体への合焦の際に、前記明るさ絞りとの距離を狭め、且つ前記第３レンズ群との距離を広げるように、前記第２レンズ群は物体側に移動し、
以下の条件式（１）、（２）を満足し、
前記第１レンズ群は、前記最も物体側の負レンズよりも像側に、前記負レンズと前記正レンズが接合された接合レンズを有し、４枚のレンズを有することを特徴とする。
１＜ｆ1／ｆ＜１４      （１）
０．８＜ｆ23／ｆ2＜３      （２）
ただし、
ｆ1は前記第１レンズ群の焦点距離、
ｆは無限遠物体合焦時の前記インナーフォーカスレンズ系全系の焦点距離、
ｆ23は無限遠物体合焦時の前記第２レンズ群と前記第３レンズ群との合成焦点距離、
ｆ2は前記第２レンズ群の焦点距離、
である。
【００１０】
上記の構成によれば、第３レンズ群を設けることで合焦時の収差変動が抑制でき、これにより、第２レンズ群の屈折力を小さくしなくても済むことから、合焦時の第２レンズ群の移動量を少なくすることができる。その結果、インナーフォーカスレンズ系において、広画角でありながら、小型化、大口径化、及び良好な結像性能を両立させることができる。
【００１１】
また、本発明の撮像装置は、インナーフォーカスレンズ系と、
前記インナーフォーカスレンズ系の像側に配置され、前記インナーフォーカスレンズ系により形成された像を電気信号に変換する撮像素子とを有することを特徴とする。
【００１２】
上記の構成によれば、小型でありながら、画角が広く、撮影環境が暗くても画質を劣化させずに、高解像の画像が得られる撮像装置を実現できる。
【発明の効果】
【００１３】
本発明によれば、広画角でありながら、明るく小型で、良好な結像性能を有するインナーフォーカスレンズ系、及びこのインナーフォーカスレンズ系を備えた撮像装置を提供することができる。
【図面の簡単な説明】
【００１４】
【図１】無限遠物体合焦時の、本発明のインナーフォーカスレンズ系のレンズ断面図であって、（ａ）は第１実施例のレンズ断面図、（ｂ）は第２実施例のレンズ断面図である。
【図２】無限遠物体合焦時の、本発明のインナーフォーカスレンズ系のレンズ断面図であって、（ａ）は第３実施例のレンズ断面図、（ｂ）は第４実施例のレンズ断面図である。
【図３】無限遠物体合焦時の、本発明のインナーフォーカスレンズ系のレンズ断面図であって、（ａ）は第５実施例のレンズ断面図、（ｂ）は第６実施例のレンズ断面図である。
【図４】無限遠物体合焦時の、本発明のインナーフォーカスレンズ系のレンズ断面図であって、（ａ）は第７実施例のレンズ断面図、（ｂ）は第８実施例のレンズ断面図である。
【図５】（ａ）〜（ｌ）は、第１実施例のインナーフォーカスレンズ系の収差図であって、３つの異なる合焦状態の収差図である。
【図６】（ａ）〜（ｌ）は、第２実施例のインナーフォーカスレンズ系の収差図であって、３つの異なる合焦状態の収差図である。
【図７】（ａ）〜（ｌ）は、第３実施例のインナーフォーカスレンズ系の収差図であって、３つの異なる合焦状態の収差図である。
【図８】（ａ）〜（ｌ）は、第４実施例のインナーフォーカスレンズ系の収差図であって、３つの異なる合焦状態の収差図である。
【図９】（ａ）〜（ｌ）は、第５実施例のインナーフォーカスレンズ系の収差図であって、３つの異なる合焦状態の収差図である。
【図１０】（ａ）〜（ｌ）は、第６実施例のインナーフォーカスレンズ系の収差図であって、３つの異なる合焦状態の収差図である。
【図１１】（ａ）〜（ｌ）は、第７実施例のインナーフォーカスレンズ系の収差図であって、３つの異なる合焦状態の収差図である。
【図１２】（ａ）〜（ｌ）は、第８実施例のインナーフォーカスレンズ系の収差図であって、３つの異なる合焦状態の収差図である。
【図１３】半画角を説明するための図である。
【図１４】本発明によるインナーフォーカスレンズ系を交換レンズとして用いたレンズ交換式カメラの断面図である。
【図１５】本発明によるデジタルカメラの外観を示す前方斜視図である。
【図１６】図１５のデジタルカメラの後方斜視図である。
【図１７】図１５のデジタルカメラの主要部の内部回路の構成ブロック図である。
【発明を実施するための形態】
【００１５】
以下に、本発明にかかるズームレンズ及び撮像装置の実施形態及び実施例を、図面に基づいて詳細に説明する。なお、この実施形態及び実施例によりこの発明が限定されるものではない。
【００１６】
本実施形態のインナーフォーカスレンズ系は、物体側から像側に順に、正の屈折力を有する第１レンズ群と、明るさ絞りと、正の屈折力を有する第２レンズ群と、第３レンズ群と、からなり、第１レンズ群は複数の負レンズと少なくとも１枚の正レンズを有し、且つ、第１レンズ群中の最も物体側のレンズは複数の負レンズのうち何れかの負レンズであり、第２レンズ群は少なくとも１枚の負レンズと少なくとも１枚の正レンズを有し、無限遠物体から近距離物体への合焦の際に、明るさ絞りとの距離を狭め、且つ第３レンズ群との距離を広げるように、第２レンズ群は物体側に移動し、以下の条件式（１）、（２）を満足することを特徴とする。
１＜ｆ1／ｆ＜１４      （１）
０．８＜ｆ23／ｆ2＜３      （２）
ただし、
ｆ1は第１レンズ群の焦点距離、
ｆは無限遠物体合焦時のインナーフォーカスレンズ系全系の焦点距離、
ｆ23は無限遠物体合焦時の第２レンズ群と第３レンズ群との合成焦点距離、
ｆ2は第２レンズ群の焦点距離、
である。
【００１７】
レトロフォーカスタイプのレンズ系は、明るさ絞りよりも物体側に負の屈折力を有するレンズ群を、明るさ絞りよりも像側に正の屈折力を有するレンズ群を配置したレンズ系である。これに対して、本実施形態のインナーフォーカスレンズ系は、レトロフォーカスタイプのレンズ系とは異なり、明るさ絞りよりも物体側に配置した第１レンズ群の屈折力を正の屈折力にしている。
【００１８】
第１レンズ群の屈折力を正の屈折力にすることで、明るさ絞りよりも像側において、光線高を低く抑えることができる。ここで、明るさ絞りよりも像側には、第２レンズ群が配置されている。そのため、第２レンズ群のレンズ径を小さくできる。
【００１９】
このように、第１レンズ群の屈折力を正の屈折力にすることは、第２レンズ群の小型化に有利となる。また、第２レンズ群を軽量化できるので、第１レンズ群の屈折力を正の屈折力にすることは、フォーカシング駆動の高速化にも有利となる。
【００２０】
また、レンズ系を大口径化した場合、合焦時の第２レンズ群の移動による収差変動が大きくなりやすい。特に、近距離物体に合焦した時の球面収差や像面湾曲の変動が大きくなりやすい。この収差変動を補正する（小さくする）ためには、第２レンズ群の屈折力をある程度小さくすることが好ましい。
【００２１】
しかしながら、第２レンズ群の屈折力を小さくすると、無限遠物体から近距離物体への合焦時のフォーカス駆動量（第２レンズ群の移動量）が大きくなる。さらに、それだけでなく、無限遠物体に合焦した時の第２レンズ群の位置を、明るさ絞りから離れた位置にしなくてはならない。ところが、この位置では軸外光線の光線高が高いため、第２レンズ群のレンズ径が大型化してしまう。このように、第２レンズ群の屈折力を小さくしてしまうと、第２レンズ群を小型化しにくくなる。
【００２２】
そこで、本実施形態のインナーフォーカスレンズ系では、第２レンズ群よりも像側に第３レンズ群を配置している。そして、合焦の際に、第２レンズ群と第３レンズ群の間の距離が変化するようにしている。より具体的には、第２レンズ群は、無限遠物体から近距離物体への合焦の際に、明るさ絞りとの距離を狭め、且つ第３レンズ群との距離を広げるように、物体側に移動する。
【００２３】
第３レンズ群を備えることで、近距離物体に合焦した時の収差変動の補正を第３レンズ群に分担させることができる。さらに、第３レンズ群を設けたことによって、第２レンズ群の屈折力を小さくしなくても良いことから、合焦時の第２レンズ群の移動量を小さくすることが可能となる。その結果、レンズ系の小型化と大口径化を両立させることができ、また、広い画角を確保した際のレンズ系の大型化も抑えやすくなる。
【００２４】
また、レンズ系を大口径化・広画角化すると、球面収差とサジタルコマフレアーが発生する。特に、第１レンズ群の屈折力は正であるため、第１レンズ群が、物体より順に１枚の負レンズと１枚の正レンズのみの構成だと、相対的に正レンズの屈折力が強くなる。そうすると、レンズ系を大口径化かつ広画角化した場合の球面収差の発生量と、広画角化した場合のサジタルコマフレアーの発生量が大きくなる。そのため、負レンズ１枚と正レンズ１枚の構成では、これらの収差を第１レンズ群内で補正することが困難となる。
【００２５】
そこで、本実施形態のインナーフォーカスレンズ系では、第１レンズ群が、複数の負レンズと少なくとも１枚の正レンズを有し、且つ、第１レンズ群中の最も物体側のレンズを、複数の負レンズのうち何れかの負レンズとしている。
【００２６】
第１レンズ群が複数の負レンズ、すなわち、少なくとも２枚の負レンズを有することで、正レンズで発生する球面収差とサジタルコマフレアーを良好に補正することが可能となる。また、最も物体側に負レンズを配置しているので、広画角化しても適切なバックフォーカスを確保することができる。その結果、レンズ系の大口径化と広画角化を達成できる。
【００２７】
加えて、本実施形態のインナーフォーカスレンズ系では、第２レンズ群が、少なくとも１枚の負レンズと少なくとも１枚の正レンズを有する。
【００２８】
第２レンズ群が少なくとも１枚の負レンズと少なくとも１枚の正レンズを有することは、球面収差と色収差の補正を良好に行なう上で望ましく、また、合焦時の収差変動を少なくするためにも好ましい。
【００２９】
さらに、本実施形態のインナーフォーカスレンズ系は、以下の条件式（１）、（２）を満足することが好ましい。
１＜ｆ1／ｆ＜１４      （１）
０．８＜ｆ23／ｆ2＜３      （２）
ただし、
ｆ1は第１レンズ群の焦点距離、
ｆは無限遠物体合焦時のインナーフォーカスレンズ系全系の焦点距離、
ｆ23は無限遠物体合焦時の第２レンズ群と第３レンズ群との合成焦点距離、
ｆ2は第２レンズ群の焦点距離、
である。
【００３０】
条件式（１）にて、第１レンズ群の焦点距離を適切に規定することで、レンズ系を小型化できると共に、近距離物体に合焦した時の収差変動を小さく抑えることが可能となる。
【００３１】
条件式（１）の下限値を下回ると、第１レンズ群の焦点距離が小さくなりすぎてしまう。そのため、相対的に第２レンズ群以降（明るさ絞りよりも像側に位置するレンズ群全体）の横倍率が大きくなる。この場合、第１レンズ群の収差を第２レンズ群以降で拡大しやすくなるので、近距離物体に合焦した時の収差変動、特に像面湾曲とコマ収差の変動が大きくなる。よって、条件式（１）の下限値を下回ることは好ましくない。
【００３２】
条件式（１）の上限値を上回ると、第１レンズ群の焦点距離が大きくなりすぎてしまう。そのため、第２レンズ群へ入射する軸上光束が太くなる。この場合、第２レンズ群のレンズ径が大型化するので、第２レンズ群の小型化が難しくなる。このように、条件式（１）の上限値を上回ることは、第２レンズ群の小型化に不向きである。
【００３３】
また、条件式（２）にて、第２レンズ群と第３レンズ群の合成焦点距離を適切に規定することで、近距離物体に合焦した時の収差変動と、レンズ系全系での諸収差の発生を適切に抑えることができる。
【００３４】
条件式（２）の下限値を下回ると、第２レンズ群の焦点距離が大きくなりすぎてしまう。この場合、近距離物体に合焦した時の第２レンズ群の移動量が大きくなる。よって、条件式（２）の下限値を下回ることは、レンズ系の小型化に不向きである。さらに、ペッツバール和が大きくなるので、像面湾曲、色収差の補正が困難となる。よって、条件式（２）の下限値を下回ることは好ましくない。
【００３５】
条件式（２）の上限値を上回ると、第２レンズ群の焦点距離が小さくなりすぎてしまう。そのため、適切なバックフォーカスの確保が難しくなる。そればかりか、レンズ系全系での球面収差とコマ収差の補正、及び近距離物体に合焦した時の球面収差とコマ収差の補正が困難となる。よって、条件式（２）の上限値を上回ることは好ましくない。
【００３６】
また、本実施形態のインナーフォーカスレンズ系は、第１レンズ群が少なくとも４枚のレンズを有することが好ましい。
【００３７】
第１レンズ群が少なくとも４枚のレンズを有することで、第１レンズ群及びレンズ系全系の諸収差を良好に補正することができる。
【００３８】
また、本実施形態のインナーフォーカスレンズ系は、以下の条件式（３）を満足することが好ましい。
２＜ＴＬ/ｆ＜４      （３）
ただし、
ＴＬはインナーフォーカスレンズ系の最物体側面から最像側面までの軸上距離とバックフォーカスとの和、
ｆは無限遠物体合焦時のインナーフォーカスレンズ系全系の焦点距離、
である。
【００３９】
条件式（３）にて、インナーフォーカスレンズ系の全長を適切に規定することで、レンズ系の小型化と、高性能化を達成することができる。なお、最物体側面から最像側面までの軸上距離は空気換算しない距離、バックフォーカスは空気換算した距離である。
【００４０】
条件式（３）の下限値を下回らないようにすることで、第１〜第３レンズ群の各々について、適宜、屈折力を弱めることができる。この場合、各レンズ群において、レンズの追加や非球面の追加を抑えつつ、各レンズ群での収差補正を良好に行なうことができる。また、レンズの追加や非球面の追加を抑えることは、レンズ系のコストの低減にもつながる。また、各レンズ群の屈折力を弱めることができるので、各レンズ群における偏心収差に対する効きも低減しやすくなる（偏心収差に対する感度を各レンズ群で小さくできる）。
【００４１】
条件式（３）の上限値を上回らないようにすることで、合焦時の第２レンズ群の移動量を小さく抑えることができる。また、バックフォーカスの増大も抑えられる。よって、条件式（３）の上限値を上回らないようにすることは、レンズ系の小型化に有利となる。
【００４２】
また、本実施形態のインナーフォーカスレンズ系は、以下の条件式(２’)を満足することが好ましい。
１＜ｆ23／ｆ2＜３      （２’）
ただし、
ｆ23は無限遠物体合焦時の第２レンズ群と第３レンズ群との合成焦点距離、
ｆ2は第２レンズ群の焦点距離、
である。
【００４３】
条件式(２’)の技術的な意義は、条件式（２）と同じである。
【００４４】
また、本実施形態のインナーフォーカスレンズ系は、第１レンズ群が、最も物体側の負レンズよりも像側に、負レンズと正レンズが接合された接合レンズを有し、４枚のレンズを有することが好ましい。
【００４５】
第１レンズ群が、最も物体側の負レンズとは別に、負レンズと正レンズの接合レンズを備えることで、色収差の補正を良好に行なうことができる。また、第１レンズ群が４枚のレンズを有することで、第１レンズ群及びレンズ系全系の諸収差を良好に補正することができる。
【００４６】
また、本実施形態のインナーフォーカスレンズ系は、第２レンズ群が物体側より順に、負レンズ、正レンズ、正レンズからなることが好ましい。
【００４７】
第２レンズ群が、物体側より、負レンズ、正レンズの順でレンズを備えることで、第２レンズ群は、レトロフォーカスタイプのレンズ構成を含むことになる。その結果、第２レンズ群の主点位置を像側寄りに位置させることが可能となる。また、十分なバックフォーカスを確保することで、第３レンズ群における軸外光束の光線高を低くできる。
【００４８】
さらに、像側に正レンズを配置することで、第２レンズ群は正レンズを２枚備える構成となる。これにより、２つの正レンズで屈折力を分担できるため、第２レンズ群での収差補正が良好に行え、加えて、負レンズ及び２つの正レンズの各々についてレンズの偏心感度を小さくすることができる。また、２枚の正レンズによって第２レンズ群の屈折力を強めやすくなるので、正レンズを２枚備えることは、レンズ系の小型化にも有利となる。
【００４９】
また、本実施形態のインナーフォーカスレンズ系は、第３レンズ群が少なくとも１枚の負レンズを含むことが好ましい。
【００５０】
第３レンズ群が少なくとも１枚の負レンズを含むことで、適切なバックフォーカスを確保することができ、加えて、ペッツバール和、色収差を良好に補正することができる。
【００５１】
なお、適切なバックフォーカスを確保する上で、第３レンズ群の屈折力は、負の屈折力、あるいは弱い正の屈折力が望ましい。ここで、第３レンズ群の屈折力が負の屈折力の場合、第３レンズ群は少なくとも１枚の負レンズを含むことが好ましい。また、第３レンズ群の屈折力が正の屈折力の場合、第３レンズ群は少なくとも１枚の負レンズと、少なくとも１枚の正レンズを含むことが好ましい。
【００５２】
また、本実施形態のインナーフォーカスレンズ系は、第３レンズ群が少なくとも１枚の正レンズと少なくとも１枚の負レンズを含むことが好ましい。
【００５３】
第３レンズ群が負レンズと正レンズを備えることで、色収差の低減が可能となる。
【００５４】
また、本実施形態のインナーフォーカスレンズ系は、第３レンズ群中の少なくとも１枚の負レンズが以下の条件式（４）を満足することが好ましい。
−５０＜ｆ3n／ｆ＜−０．５      （４）
ただし、
ｆ3nは第３レンズ群中の少なくとも１枚の負レンズの焦点距離、
ｆは無限遠物体合焦時のインナーフォーカスレンズ系全系の焦点距離、
である。
【００５５】
条件式（４）は、第３レンズ群中の負レンズによる軸外収差の良好な補正と、レンズ系の小型化を両立させるための好ましい条件を特定するものである。
【００５６】
条件式（４）の下限値を下回らないようにすることで、負レンズによる軸外収差の良好な補正が実現できる。
【００５７】
条件式（４）上限値を上回らないようにすることで、第３レンズ群の厚みを低減することができ、また、レンズ径を小さくすることができる。
【００５８】
また、本実施形態のインナーフォーカスレンズ系は、第３レンズ群が正の屈折力を持つことが好ましい。
【００５９】
第３レンズ群が正の屈折力を持つことで、射出瞳を像面から遠ざける機能を第３レンズ群に持たせることができる。なお、第３レンズ群の正の屈折力は、小さいほうが望ましい。
【００６０】
また、本実施形態のインナーフォーカスレンズ系は、第３レンズ群が負の屈折力を持つことが好ましい。
【００６１】
第３レンズ群が負の屈折力を持つことは、適切なバックフォーカスの確保に有利となる。また、第３レンズ群が負の屈折力を持つことは、像面湾曲の補正にも有利となる。
【００６２】
また、本実施形態のインナーフォーカスレンズ系は、第３レンズ群が負の屈折力の単レンズからなることが好ましい。
【００６３】
第３レンズ群が負の屈折力の単レンズからなることで、レンズ系の軽量化ができる。
【００６４】
また、本実施形態のインナーフォーカスレンズ系は、インナーフォーカスレンズ系のＦナンバーが２以下であり、明るさ絞りの中心を通過して最大像高位置に入射する光線の半画角が３０°を上回ることが好ましい。
【００６５】
Ｆナンバーを２以下とし、半画角が３０°を上回るようにすることは、適切な明るさ確保や広い画角の確保に有利となる。また、このようにすることで、暗所での撮影や、室内での撮影などでも良好な画像が得られる。
【００６６】
ここで、半画角について、図１３を用いて説明する。図１３には、光学系、明るさ絞り及び撮像面が、光軸上に配置されている様子が示されている。光学系に入射した光線は、明るさ絞りを通過したのち、光学系から出射して撮像面に到達する。ここで、図１３の光学系が、本実施形態のインナーフォーカスレンズ系である。また、ωが半画角を示している。
【００６７】
図１３において、実線で示すＬは、明るさ絞りの中心を通過する光線のうち、有効撮像領域上の点Ｘに到達する光線を示している。この点Ｘは、有効撮像領域のなかで光軸から最も離れた位置である。ここで、有効撮像領域は物体像が形成されている領域であるため、点Ｘは最大像高位置になる。このように、光線Ｌは、明るさ絞り中心を通過して有効撮像領域の最大像高位置に入射する光線である。そして、図１３に示すように、半画角ωは、光線Ｌと光軸とのなす角で表される。
【００６８】
また、本実施形態のインナーフォーカスレンズ系は、以下の条件式（５）を満足することが好ましい。
−１＜ｆ／ｆ3＜０．５      （５）
ただし、
ｆ3は第３レンズ群の焦点距離、
ｆは無限遠物体合焦時のインナーフォーカスレンズ系全系の焦点距離、
である。
【００６９】
条件式（５）は、射出瞳位置の適正化とレンズ系の全長の短縮化を両立させるための条件式である。
【００７０】
条件式（５）の下限値を下回らないようにすることで、射出瞳を像面から遠ざけやすくなる。
【００７１】
条件式（５）の上限値を上回らないようにすることが、レンズ系の全長の短縮化につながる。
【００７２】
また、本実施形態のインナーフォーカスレンズ系は、無限遠物体から近距離物体への合焦の際に、第１レンズ群と第３レンズ群の位置が固定であることが好ましい。
【００７３】
合焦の際に、第１レンズ群と第３レンズ群の位置が固定である（第１レンズ群と第３レンズ群が静止している）ことは、レンズ系へのゴミの進入防止や、フォーカシング駆動時の雑音低減に有利となる。
【００７４】
また、本実施形態の撮像装置は、上記のインナーフォーカスレンズ系と、インナーフォーカスレンズ系の像側に配置され、インナーフォーカスレンズ系により形成された像を電気信号に変換する撮像素子とを有することを特徴とする。
【００７５】
上述のインナーフォーカスレンズ系を備えることで、このレンズ系の利点を活かした撮像装置を提供することができる。
【００７６】
また、機能（作用効果）をより確実にする上で、上述の各条件式は上限値、下限値を以下のようにすることが、好ましい。
条件式（１）について、
下限値を１．４、更には１．７５とすることが好ましい。
上限値を９、更には７とすることが好ましい。
条件式（２）について、
下限値を０．９５、更には１、更には１．０５とすることが好ましい。
上限値を２、更には１．４とすることが好ましい。
条件式（３）について、
下限値を２．４、更には２．９とすることが好ましい。
上限値を３．６、更には３．４とすることが好ましい。
条件式（４）について、
下限値を−２０、更には−１０とすることが好ましい。
上限値を−０．７、更には−０．９とすることが好ましい。
条件式（５）について、
下限値を−０．５、更には−０．３とすることが好ましい。
上限値を０．３、更には０．１とすることが好ましい。
【００７７】
なお、上述のインナーフォーカスレンズ系は、複数の構成を同時に満足してもよい。このようにすることが、良好なインナーフォーカスレンズ系、及び撮像装置を得る上で好ましい。また、好ましい構成の組み合わせは任意である。また、各条件式について、より限定した条件式の数値範囲の上限値あるいは下限値のみを限定しても構わない。
【００７８】
以下に、本発明に係るインナーフォーカスレンズ系、及び撮像装置の実施例を図面に基づいて詳細に説明する。なお、この実施例によりこの発明が限定されるものではない。
【００７９】
以下に示す実施例は、画角が６０°以上、Ｆナンバーが２以下の明るいインナーフォーカスレンズ系となっている。また、このインナーフォーカスレンズ系は、デジタルスチルカメラ等のカメラの撮影レンズに好適に用いられるものとなっている。
【００８０】
以下、本発明のインナーフォーカスレンズ系の実施例１〜８について説明する。実施例１〜８の無限遠物体合焦時のレンズ断面図を、それぞれ図１〜図４に示す。図１〜図４中、第１レンズ群はＧ１、開口絞りはＳ、第２レンズ群はＧ２、第３レンズ群はＧ３、平行平板はＣ、像面はＩで示してある。なお、図１〜図４では、フィルター類（ダスト除去フィルター、赤外カットフィルター、ローパスフィルター）と撮像面を保護するカバーガラスを、光学的に等価な１つの平行平板Ｃとして図示している。
【００８１】
実施例１のインナーフォーカスレンズ系は、図１（ａ）に示すように、物体側から順に、正の屈折力の第１レンズ群Ｇ１と、明るさ絞りＳと、正の屈折力の第２レンズ群Ｇ２と、負の屈折力の第３レンズ群Ｇ３とで構成されている。
【００８２】
無限遠物体から近距離物体への合焦に際して、第１レンズ群Ｇ１は静止し、明るさ絞りＳは静止し、第２レンズ群Ｇ２は物体側へ移動し、第３レンズ群Ｇ３は静止している。
【００８３】
物体側から順に、第１レンズ群Ｇ１は、両凹負レンズＬ１と、両凸正レンズＬ２と、像側に凸面を向けた負メニスカスレンズＬ３とから構成されている。第２レンズ群Ｇ２は、両凹負レンズＬ４と、両凸正レンズＬ５と、両凸正レンズＬ６とから構成されている。ここで、両凹負レンズＬ４と両凸正レンズＬ５とが接合されている。第３レンズ群Ｇ３は、両凹負レンズＬ７と、両凸正レンズＬ８と、両凹負レンズＬ９とから構成されている。ここで、両凹負レンズＬ７と両凸正レンズＬ８とが接合されている。
【００８４】
非球面は、両凸正レンズＬ２の両面と、両凸正レンズＬ６の両面と、両凹負レンズＬ９の両面との合計６面に用いている。
【００８５】
実施例２のインナーフォーカスレンズ系は、図１（ｂ）に示すように、物体側から順に、正の屈折力の第１レンズ群Ｇ１と、明るさ絞りＳと、正の屈折力の第２レンズ群Ｇ２と、負の屈折力の第３レンズ群Ｇ３とで構成されている。
【００８６】
無限遠物体から近距離物体への合焦に際して、第１レンズ群Ｇ１は静止し、明るさ絞りＳは静止し、第２レンズ群Ｇ２は物体側へ移動し、第３レンズ群Ｇ３は静止している。
【００８７】
物体側から順に、第１レンズ群Ｇ１は、両凹負レンズＬ１と、両凹負レンズＬ２と、両凸正レンズＬ３と、像側に凸面を向けた負メニスカスレンズＬ４とから構成されている。ここで、両凸正レンズＬ３と負メニスカスレンズＬ４とが接合されている。第２レンズ群Ｇ２は、両凹負レンズＬ５と、両凸正レンズＬ６と、両凸正レンズＬ７とから構成されている。第３レンズ群Ｇ３は、両凹負レンズＬ８と、両凸正レンズＬ９とから構成されている。
【００８８】
非球面は、両凹負レンズＬ１の両面と、両凸正レンズＬ７の両面と、両凸正レンズＬ９の両面との合計６面に用いている。
【００８９】
実施例３のインナーフォーカスレンズ系は、図２（ａ）に示すように、物体側から順に、正の屈折力の第１レンズ群Ｇ１と、明るさ絞りＳと、正の屈折力の第２レンズ群Ｇ２と、負の屈折力の第３レンズ群Ｇ３とで構成されている。
【００９０】
無限遠物体から近距離物体への合焦に際して、第１レンズ群Ｇ１は静止し、明るさ絞りＳは静止し、第２レンズ群Ｇ２は物体側へ移動し、第３レンズ群Ｇ３は静止している。
【００９１】
物体側から順に、第１レンズ群Ｇ１は、両凹負レンズＬ１と、像側に凸面を向けた負メニスカスレンズＬ２と、両凸正レンズＬ３と、像側に凸面を向けた正メニスカスレンズＬ４と、像側に凸面を向けた負メニスカスレンズＬ５とから構成されている。ここで、正メニスカレンズＬ４と負メニスカスレンズＬ５とが接合されている。第２レンズ群Ｇ２は、両凹負レンズＬ６と、両凸正レンズＬ７と、両凸正レンズＬ８とから構成されている。第３レンズ群Ｇ３は、両凹負レンズＬ９と、両凸正レンズＬ１０とから構成されている。
【００９２】
非球面は、両凹負レンズＬ１の両面と、両凸正レンズＬ８の両面と、両凸正レンズＬ１０の両面との合計６面に用いている。
【００９３】
実施例４のインナーフォーカスレンズ系は、図２（ｂ）に示すように、物体側から順に、正の屈折力の第１レンズ群Ｇ１と、明るさ絞りＳと、正の屈折力の第２レンズ群Ｇ２と、負の屈折力の第３レンズ群Ｇ３とで構成されている。
【００９４】
無限遠物体から近距離物体への合焦に際して、第１レンズ群Ｇ１は静止し、明るさ絞りＳは静止し、第２レンズ群Ｇ２は物体側へ移動し、第３レンズ群Ｇ３は静止している。
【００９５】
物体側から順に、第１レンズ群Ｇ１は、物体側に凸面を向けた負メニスカスレンズＬ１と、物体側に凸面を向けた正メニスカスレンズＬ２と、両凹負レンズＬ３と、両凸正レンズＬ４とから構成されている。第２レンズ群Ｇ２は、両凹負レンズＬ５と、両凸正レンズＬ６と、像側に凸面を向けた正メニスカスレンズＬ７とから構成されている。ここで、両凹負レンズＬ５と両凸正レンズＬ６とが接合されている。第３レンズ群Ｇ３は、両凹負レンズＬ８と、両凸正レンズＬ９とから構成されている。
【００９６】
非球面は、負メニスカスレンズＬ１の両面と、正メニスカスレンズＬ７の両面と、両凸正レンズＬ９の両面との合計６面に用いている。
【００９７】
実施例５のインナーフォーカスレンズ系は、図３（ａ）に示すように、物体側から順に、正の屈折力の第１レンズ群Ｇ１と、明るさ絞りＳと、正の屈折力の第２レンズ群Ｇ２と、正の屈折力の第３レンズ群Ｇ３とで構成されている。
【００９８】
無限遠物体から近距離物体への合焦に際して、第１レンズ群Ｇ１は静止し、明るさ絞りＳは静止し、第２レンズ群Ｇ２は物体側へ移動し、第３レンズ群Ｇ３は静止している。
【００９９】
物体側から順に、第１レンズ群Ｇ１は、物体側に凸面を向けた負メニスカスレンズＬ１と、物体側に凸面を向けた正メニスカスレンズＬ２と、両凸正レンズＬ３と、両凹負レンズＬ４とから構成されている。ここで、両凸正レンズＬ３と両凹負レンズＬ４とが接合されている。第２レンズ群Ｇ２は、両凹負レンズＬ５と、両凸正レンズＬ６と、両凸正レンズＬ７とから構成されている。ここで、両凹負レンズＬ５と両凸正レンズＬ６とが接合されている。第３レンズ群Ｇ３は、両凹負レンズＬ８と、両凸正レンズＬ９とから構成されている。
【０１００】
非球面は、負メニスカスレンズＬ１の両面と、両凸正レンズＬ７の両面との合計４面に用いている。
【０１０１】
実施例６のインナーフォーカスレンズ系は、図３（ｂ）に示すように、物体側から順に、正の屈折力の第１レンズ群Ｇ１と、明るさ絞りＳと、正の屈折力の第２レンズ群Ｇ２と、負の屈折力の第３レンズ群Ｇ３とで構成されている。
【０１０２】
無限遠物体から近距離物体への合焦に際して、第１レンズ群Ｇ１は静止し、明るさ絞りＳは静止し、第２レンズ群Ｇ２は物体側へ移動し、第３レンズ群Ｇ３は静止している。
【０１０３】
物体側から順に、第１レンズ群Ｇ１は、物体側に凸面を向けた負メニスカスレンズＬ１と、物体側に凸面を向けた負メニスカスレンズＬ２と、両凸正レンズＬ３と、像側に凸面を向けた負メニスカスレンズＬ４とから構成されている。ここで、両凸正レンズＬ３と負メニスカスレンズＬ４とが接合されている。第２レンズ群Ｇ２は、像側に凸面を向けた負メニスカスレンズＬ５と、像側に凸面を向けた正メニスカスレンズＬ６と、両凸正レンズＬ７とから構成されている。ここで、負メニスカスレンズＬ５と正メニスカスレンズＬ６とが接合されている。第３レンズ群Ｇ３は、物体側に凸面を向けた負メニスカスレンズＬ８と、物体側に凸面を向けた正メニスカスレンズＬ９とから構成されている。
【０１０４】
非球面は、負メニスカスレンズＬ１の像側面と、両凸正レンズＬ７の両面と、正メニスカスレンズＬ９の両面との合計５面に用いている。
【０１０５】
実施例７のインナーフォーカスレンズ系は、図４（ａ）に示すように、物体側から順に、正の屈折力の第１レンズ群Ｇ１と、明るさ絞りＳと、正の屈折力の第２レンズ群Ｇ２と、正の屈折力の第３レンズ群Ｇ３とで構成されている。
【０１０６】
無限遠物体から近距離物体への合焦に際して、第１レンズ群Ｇ１は静止し、明るさ絞りＳは静止し、第２レンズ群Ｇ２は物体側へ移動し、第３レンズ群Ｇ３は静止している。
【０１０７】
物体側から順に、第１レンズ群Ｇ１は、物体側に凸面を向けた負メニスカスレンズＬ１と、物体側に凸面を向けた負メニスカスレンズＬ２と、両凸正レンズＬ３と、両凹負レンズＬ４とから構成されている。ここで、両凸正レンズＬ３と両凹負レンズＬ４とが接合されている。第２レンズ群Ｇ２は、両凹負レンズＬ５と、両凸正レンズＬ６と、両凸正レンズＬ７とから構成されている。ここで、両凹負レンズＬ５と両凸正レンズＬ６とが接合されている。第３レンズ群Ｇ３は、像側に凸面を向けた正メニスカスレンズＬ８と、両凹負レンズＬ９とから構成されている。ここで、正メニスカスレンズＬ８と両凹負レンズＬ９が接合されている。
【０１０８】
非球面は、負メニスカスレンズＬ１、Ｌ２の両面と、両凸正レンズＬ７の両面との合計６面に用いている。
【０１０９】
実施例８のインナーフォーカスレンズ系は、図４（ｂ）に示すように、物体側から順に、正の屈折力の第１レンズ群Ｇ１と、明るさ絞りＳと、正の屈折力の第２レンズ群Ｇ２と、負の屈折力の第３レンズ群Ｇ３とで構成されている。
【０１１０】
無限遠物体から近距離物体への合焦に際して、第１レンズ群Ｇ１は静止し、明るさ絞りＳは静止し、第２レンズ群Ｇ２は物体側へ移動し、第３レンズ群Ｇ３は静止している。
【０１１１】
物体側から順に、第１レンズ群Ｇ１は、両凹負レンズＬ１と、像側に凸面を向けた負メニスカスレンズＬ２と、両凸正レンズＬ３と、両凸正レンズＬ４と、両凹負レンズＬ５とから構成されている。ここで、両凸正レンズＬ４と両凹負レンズＬ５とが接合されている。第２レンズ群Ｇ２は、像側に凸面を向けた負メニスカスレンズＬ６と、像側に凸面を向けた正メニスカスレンズＬ７と、両凸正レンズＬ８とから構成されている。ここで、負メニスカスレンズＬ６と正メニスカスレンズＬ７とが接合されている。第３レンズ群Ｇ３は、両凹負レンズＬ９から構成されている。
【０１１２】
非球面は、両凹負レンズＬ１の両面と、負メニスカスレンズＬ２の両面と、両凸正レンズＬ８の両面との合計６面に用いている。
【０１１３】
以下に、上記各実施例の数値データを示す。記号は上記の外、ｒは各レンズ面の曲率半径、ｄは各レンズ面間の間隔、ｎｄは各レンズのｄ線の屈折率、νｄは各レンズのアッベ数である。また、焦点距離は全系の焦点距離、ＦＮＯ．はＦナンバー、ωは半画角、ｆ１、ｆ２…は各レンズ群の焦点距離である。なお、全長は、レンズ最前面からレンズ最終面までの距離にバックフォーカスを加えたものである。ｆｂ（バックフォーカス）は、レンズ最終面から近軸像面までの距離を空気換算して表したものである。
【０１１４】
また、合焦状態については、無限遠時は無限遠物体に合焦した時、倍率−１／１０倍時は、倍率が−１／１０倍となるときの物体に合焦した時、物像間距離２００ｍｍ時は、物像間距離が２００ｍｍとなるときの物体に合焦した時のことを表している。なお、近距離物体へ合焦した状態としては、例えば、物像間距離２００ｍｍ時の状態がある。
【０１１５】
また、非球面形状は、ｘを光の進行方向を正とした光軸とし、ｙを光軸と直交する方向にとると、下記の式にて表される。
ｘ＝（ｙ2／Ｒ）／［１＋｛１−（Ｋ＋１）（ｙ／Ｒ）2｝1/2］
＋Ａ4ｙ4 ＋Ａ6ｙ6＋Ａ8ｙ8＋Ａ10ｙ10＋Ａ12ｙ12
ただし、Ｒは近軸曲率半径、Ｋは円錐係数、Ａ4、Ａ6、Ａ8、Ａ10、Ａ12はそれぞれ４次、６次、８次、１０次、１２次の非球面係数である。また、非球面係数において、「ｅ−ｎ」（ｎは整数）は、「１０−ｎ」を示している。
【０１１６】
数値実施例１
単位ｍｍ
面データ
面番号     r          d         nd        νd
物面       ∞         ∞
1     -69.296      1.00     1.51823    58.90
2      16.235      4.37
3*     21.796      4.78     1.80610    40.92
4*    -32.981      0.64
5     -28.404      1.00     1.72825    28.46
6     -75.460      1.99
7(絞り)  ∞        可変
8      -9.069      0.70     1.59270    35.31
9      13.490      4.20     1.74320    49.34
10     -29.061      0.24
11*     63.973      3.96     1.74320    49.29
12*    -13.234      可変
13     -33.627      0.70     1.66680    33.05
14      21.161      5.22     1.80610    40.92
15     -21.817      0.22
16*    -22.219      0.70     1.64769    33.79
17*    390.353      10.81
18        ∞        4.08     1.51633    64.14
19        ∞        0.75
像面（撮像面）∞
非球面データ
第３面
k=0.000
A4=2.41601e-05,A6=1.34301e-07,A8=1.90055e-10,A10=1.10342e-11  
第４面
k=0.000
A4=1.62019e-05,A6=6.88014e-08,A8=1.04347e-10  
第１１面
k=0.000
A4=-3.67593e-05,A6=4.77634e-07,A8=-8.84790e-09,A10=4.07579e-12  
第１２面
k=0.000
A4=9.93764e-05,A6=3.98206e-07,A8=-5.72132e-09,A10=8.15583e-12  
第１６面
k=0.000
A4=1.88114e-04,A6=-3.89115e-06,A8=3.14700e-08,A10=-7.59619e-11  
第１７面
k=0.000
A4=1.75313e-04,A6=-3.76695e-06,A8=3.58444e-08,A10=-1.10025e-10  
各種データ
焦点距離          17.27
ＦＮＯ．           1.72
画角２ω          68.62
fb (in air)       14.25
全長 (in air)     52.17
像高              10.82
合焦状態
無限遠時      倍率-1/10倍時   物像間距離200mm時
d7             6.61          6.15            5.07  
d12            1.60          2.06            3.14  
群焦点距離
f1=70.52    f2=17.85    f3=-151.61   
【０１１７】
数値実施例２
単位ｍｍ
面データ
面番号     r          d         nd        νd
物面       ∞         ∞
1*   -400.000      1.00     1.51633    64.14
2*     12.678      3.55
3     -49.555      0.80     1.49700    81.54
4      82.373      0.84
5      26.827      5.89     1.83481    42.71
6     -11.929      0.80     1.80518    25.42
7     -21.066      3.38
8(絞り)  ∞        可変
9      -9.968      0.70     1.69895    30.13
10      49.045      0.10
11      36.720      4.20     1.75700    47.82
12     -14.750      0.10
13*    400.000      3.16     1.74320    49.29
14*    -19.373      可変
15     -36.779      0.70     1.64769    33.79
16      18.101      0.65
17*     25.925      4.01     1.80610    40.92
18*    -51.427     10.30
19        ∞        4.08     1.51633    64.14
20        ∞        0.74
像面（撮像面）∞
非球面データ
第１面
k=100.000
A4=-5.34986e-05,A6=-4.79413e-07,A8=2.00277e-09,A10=-5.77532e-13  
第２面
k=-0.673
A4=5.59739e-05,A6=5.36913e-09,A8=-5.06330e-09,A10=6.52119e-11  
第１３面
k=0.000
A4=-2.10905e-05,A6=1.03605e-06,A8=-1.80777e-08,A10=2.55010e-10,
A12=-1.16748e-12
第１４面
k=0.000
A4=5.20635e-05,A6=4.68554e-07,A8=-3.37362e-09,A10=6.50534e-11  
第１７面
k=0.000
A4=4.98109e-05,A6=-4.84066e-07,A8=9.43359e-09,A10=-5.83544e-11  
第１８面
k=0.000
A4=3.73054e-05,A6=-5.60559e-07,A8=1.14495e-08,A10=-6.30363e-11  
各種データ
焦点距離          17.34
ＦＮＯ．           1.72
画角２ω          68.61
fb (in air)       13.74
全長 (in air)     52.18
像高              10.82
合焦状態
無限遠時      倍率-1/10倍時   物像間距離200mm時
d8             6.66          6.10            4.87  
d14            1.90          2.45            3.69  
群焦点距離
f1=32.39    f2=22.00    f3=-240.35   
【０１１８】
数値実施例３
単位ｍｍ
面データ
面番号     r          d         nd        νd
物面       ∞         ∞
1*   -400.000      1.00     1.51633    64.14
2*     11.737      4.15
3     -21.991      0.71     1.49700    81.54
4     -65.112      0.11
5      28.013      3.00     1.83481    42.71
6     -44.074      0.31
7     -86.746      3.51     1.83481    42.71
8     -12.794      0.70     1.80518    25.42
9     -24.813      2.88
10(絞り)  ∞        可変
11      -9.812      0.70     1.69895    30.13
12      53.040      0.10
13      38.469      4.30     1.78800    47.37
14     -14.305      0.10
15*    400.000      2.72     1.74320    49.29
16*    -21.830      可変
17     -34.792      0.70     1.64769    33.79
18      19.198      0.66
19*     29.321      3.85     1.80610    40.92
20*    -43.934     10.66
21        ∞        4.08     1.51633    64.14
22        ∞        0.75 
像面（撮像面）∞
非球面データ
第１面
k=100.000
A4=-5.67198e-05,A6=-2.01281e-07,A8=-9.07722e-10,A10=9.74273e-12  
第２面
k=-0.734
A4=3.29416e-05,A6=4.79925e-07,A8=-1.33692e-08,A10=9.60266e-11  
第１５面
k=0.000
A4=-3.78249e-05,A6=5.74494e-07,A8=7.15211e-10,A10=1.56983e-11,
A12=-1.24749e-13  
第１６面
k=0.000
A4=2.77037e-05,A6=3.58314e-07,A8=1.01277e-08,A10=-1.34098e-10,
A12=9.70146e-13  
第１９面
k=0.000
A4=3.53596e-05,A6=5.39334e-07,A8=-4.17195e-09,A10=-3.77804e-12  
第２０面
k=0.000
A4=2.86889e-05,A6=2.29666e-07,A8=1.70266e-09,A10=-3.20544e-11  
各種データ
焦点距離          17.36
ＦＮＯ．           1.72
画角２ω          68.59
fb (in air)       14.10
全長 (in air)     52.18
像高              10.82
合焦状態
無限遠時      倍率-1/10倍時   物像間距離200mm時
d10           6.67          6.12            4.87  
d16           1.90          2.45            3.70  
群焦点距離
f1=32.24    f2=22.44    f3=-257.41   
【０１１９】
数値実施例４
単位ｍｍ
面データ
面番号     r          d         nd        νd
物面       ∞         ∞
1*     33.085      1.40     1.58313    59.38
2*     11.349      3.00
3      27.663      2.67     1.91082    35.25
4     331.721      2.16
5     -17.561      1.20     1.65834    31.86
6      29.670      0.15
7      19.863      3.61     1.88300    40.76
8     -27.507      2.00
9(絞り)  ∞        可変
10      -9.313      0.80     1.64726    32.67
11      16.517      4.62     1.88300    40.76
12     -15.343      0.15
13*   -102.770      2.66     1.80610    40.92
14*    -18.452      可変
15     -21.498      1.20     1.80927    25.07
16      42.091      0.15
17*     35.847      4.62     1.80610    40.92
18*    -29.118     10.75
19        ∞        4.08     1.51633    64.14
20        ∞        0.75
像面（撮像面）∞
非球面データ
第１面
k=0.000
A4=-1.80856e-05,A6=3.87830e-07  
第２面
k=0.385
A4=-8.54254e-05,A6=-9.23948e-08  
第１３面
k=0.000
A4=-9.40289e-05,A6=-2.31647e-07,A8=-1.07583e-08  
第１４面
k=0.000
A4=1.22124e-05,A6=-2.82100e-07,A8=-4.15598e-09  
第１７面
k=0.000
A4=2.25050e-05,A6=-7.85701e-08  
第１８面
k=0.000
A4=4.35638e-07,A6=5.55190e-08  
各種データ
焦点距離          17.34
ＦＮＯ．           1.72
画角２ω          68.02
fb (in air)       14.19
全長 (in air)     52.18
像高              10.82
合焦状態
無限遠時      倍率-1/10倍時   物像間距離200mm時
d9            5.85          5.38            4.31  
d14           1.75          2.22            3.29  
群焦点距離
f1=46.97    f2=18.50    f3=-324.73   
【０１２０】
数値実施例５
単位ｍｍ
面データ
面番号     r          d         nd        νd
物面       ∞         ∞
1*     69.444      1.40     1.58313    59.38
2*     14.197      7.00
3      29.271      3.35     1.91082    35.25
4     262.593      1.37
5      19.598      4.26     1.88300    40.76
6     -38.817      1.20     1.64769    33.79
7      12.762      3.25
8(絞り)  ∞        可変
9      -9.222      1.08     1.74077    27.79
10      48.315      3.45     1.78800    47.37
11     -16.098      0.15
12*     44.265      4.48     1.74320    49.29
13*    -16.888      可変
14     -90.718      1.20     1.59270    35.31
15      98.927      0.15
16     108.834      3.00     1.49700    81.54
17     -46.968     11.29
18        ∞        4.08     1.51633    64.14
19        ∞        0.75
像面（撮像面）∞
非球面データ
第１面
k=1.695
A4=-1.37350e-05,A6=-2.77124e-09  
第２面
k=-0.745
A4=8.54124e-06,A6=-3.52897e-08  
第１２面
k=1.135
A4=-1.94599e-05,A6=9.04736e-08,A8=-4.25344e-10  
第１３面
k=-2.096
A4=-1.11021e-05,A6=5.60527e-08,A8=-2.13390e-10  
各種データ
焦点距離          17.34
ＦＮＯ．           1.72
画角２ω          68.18
fb (in air)       14.73
全長 (in air)     57.18
像高              10.82
合焦状態
無限遠時      倍率-1/10倍時   物像間距離200mm時
d8            5.11          4.50            3.02  
d13           2.00          2.62            4.10  
群焦点距離
f1=102.55    f2=18.89   f3=348.93   
【０１２１】
数値実施例６
単位ｍｍ
面データ
面番号     r          d         nd        νd
物面       ∞         ∞
1     672.761      1.20     1.58313    59.38
2*     13.584      3.15
3      51.861      1.20     1.49700    81.54
4      16.899      0.17
5      14.589      5.71     1.81600    46.62
6     -27.642      1.00     1.59270    35.31
7    -126.683      1.27
8(絞り)  ∞        可変
9      -8.333      0.80     1.75520    27.51
10    -340.070      3.71     1.72916    54.68
11     -13.125      0.20
12*     57.837      4.98     1.69350    53.21
13*    -14.919      可変
14      41.929      1.00     1.59270    35.31
15      21.742      0.15
16*     17.103      1.89     1.69350    53.21
17*     20.246     12.56
18        ∞        4.08     1.51633    64.14
19        ∞        0.75
像面（撮像面）∞
非球面データ
第２面
k=-0.083
A4=1.18566e-05,A6=-4.05288e-08,A8=1.49099e-09  
第１２面
k=7.009
A4=-5.93250e-06,A6=-1.84305e-07,A8=5.78519e-10  
第１３面
k=-1.026
A4=2.29476e-05,A6=-1.32281e-07,A8=8.15241e-11  
第１６面
k=0.345
A4=-1.35924e-04,A6=2.90102e-07,A8=1.13155e-09  
第１７面
k=-3.090
A4=-1.11559e-04,A6=5.29638e-07,A8=1.00115e-09  
各種データ
焦点距離          17.24
ＦＮＯ．           1.72
画角２ω          69.27
fb (in air)       16.00
全長 (in air)     52.90
像高              10.82
合焦状態
無限遠時      倍率-1/10倍時   物像間距離200mm時
d8            8.55          8.00            6.73  
d13           1.93          2.48            3.74  
群焦点距離
f1=66.76    f2=19.39    f3=-179.06   
【０１２２】
数値実施例７
単位ｍｍ
面データ
面番号     r          d         nd        νd
物面       ∞         ∞
1*    672.764      1.20     1.58313    59.38
2*     14.063      2.25
3*     17.686      1.20     1.52542    55.78
4*     12.707      0.88
5      17.675      5.13     1.88300    40.76
6     -26.463      1.00     1.59270    35.31
7     406.919      2.06
8(絞り)  ∞        可変  
9      -8.299      0.80     1.75520    27.51
10    1136.001      3.87     1.72916    54.68
11     -12.587      0.20
12*     41.430      5.00     1.69350    53.21
13*    -16.249      可変
14   -1971.283      2.91     1.91082    35.25
15     -28.677      1.00     1.64769    33.79
16      47.347     11.86
17        ∞        4.08     1.51633    64.14
18        ∞        0.75
像面（撮像面）∞
非球面データ
第１面
k=-10.003
A4=-1.10225e-05,A6=1.37365e-07,A8=-5.06683e-10  
第２面
k=0.542
A4=-6.97776e-05,A6=-5.14847e-08,A8=6.34945e-09  
第３面
k=-3.220
A4=-2.93440e-04,A6=3.63340e-06,A8=-1.64868e-08  
第４面
k=0.399
A4=-4.12598e-04,A6=3.90113e-06,A8=-3.28816e-08  
第１２面
k=-2.867
A4=-2.40751e-05,A6=8.31714e-08,A8=-1.04702e-11  
第１３面
k=-0.777
A4=2.17646e-05,A6=-5.83764e-08,A8=4.83531e-10  
各種データ
焦点距離          17.11
ＦＮＯ．           1.72
画角２ω          69.38
fb (in air)       15.30
全長 (in air)     52.24
像高              10.82
合焦状態
無限遠時      倍率-1/10倍時   物像間距離200mm時
d8            7.55          7.03            5.84  
d13           1.89          2.41            3.60  
群焦点距離
f1=69.21    f2=18.16    f3=-204.21   
【０１２３】
数値実施例８
単位ｍｍ
面データ
面番号     r          d         nd        νd
物面       ∞         ∞
1*    -40.594      1.20     1.58313    59.38
2*     15.652      4.41
3*    -46.287      1.20     1.49700    81.54
4*   -124.746      0.27
5      29.483      4.64     1.91082    35.25
6     -31.566      0.05
7      52.305      4.64     1.81600    46.62
8     -15.723      1.00     1.75211    25.05
9      69.165      2.44
10(絞り)  ∞        可変
11      -9.047      0.80     1.75520    27.51
12     -43.675      3.51     1.69680    55.53
13     -13.342      0.15
14*     72.246      3.82     1.74320    49.34
15*    -15.821      可変
16     -53.355      1.00     1.59270    35.31
17    2895.889     10.82
18        ∞        4.08     1.51633    64.14
19        ∞        0.75
像面（撮像面）∞
非球面データ
第１面
k=0.138
A4=-5.28820e-06,A6=-1.04148e-07,A8=5.10478e-10  
第２面
k=0.231
A4=1.62988e-05,A6=2.95430e-08,A8=7.63951e-11  
第３面
k=1.455
A4=-4.72083e-06,A6=1.27902e-07,A8=-1.98702e-09  
第４面
k=9.700
A4=-4.27125e-06,A6=-5.99103e-09,A8=-1.27825e-09  
第１４面
k=10.003
A4=-3.12715e-05,A6=-2.85032e-08,A8=1.85689e-11  
第１５面
k=-0.243
A4=3.14567e-05,A6=-8.82386e-08,A8=2.34814e-10  
各種データ
焦点距離          17.31
ＦＮＯ．           1.72
画角２ω          69.79
fb (in air)       14.26
全長 (in air)     52.18
像高              10.82
合焦状態
無限遠時      倍率-1/10倍時   物像間距離200mm時
d10           6.89          6.35            5.18  
d15           1.89          2.43            3.60  
群焦点距離
f1=30.94    f2=19.60    f3=-88.38   
【０１２４】
以上の実施例１〜８の収差図をそれぞれ図５〜図１２に示す。また各図中、”ＦＩＹ”は最大像高を示す。
【０１２５】
これらの収差図において、（ａ）、（ｂ）、（ｃ）、（ｄ）は、それぞれ、無限遠時における球面収差（ＳＡ）、非点収差（ＡＳ）、歪曲収差（ＤＴ）、倍率色収差（ＣＣ）を示す。
【０１２６】
また、（ｅ）、（ｆ）、（ｇ）、（ｈ）は、それぞれ、倍率−１／１０倍時における球面収差（ＳＡ）、非点収差（ＡＳ）、歪曲収差（ＤＴ）、倍率色収差（ＣＣ）を示す。
【０１２７】
また、（ｉ）、（ｊ）、（ｋ）、（ｌ）は、それぞれ、物像間距離２００ｍｍ時における球面収差（ＳＡ）、非点収差（ＡＳ）、歪曲収差（ＤＴ）、倍率色収差（ＣＣ）を示す。
【０１２８】
次に、各実施例における条件式（１）〜（５）の値を掲げる。
条件式    実施例1     実施例2     実施例3     実施例4
(1) f1/f       4.08        1.87        1.86        2.71 
(2) f23/f2      1.12        1.21        1.21        1.19 
(3) TL/f         3.02        3.01        3.01        3.01 
(4) f3n/f       -1.12       -1.07       -1.09       -1.01
-1.88      
(5) f/f3       -0.11       -0.07       -0.07       -0.05 
条件式    実施例5     実施例6     実施例7     実施例8
(1) f1/f       5.91        3.87        4.05        1.79  
(2) f23/f2      0.97        1.08        1.09        1.33 
(3) TL/f         3.30        3.07        3.05        3.01 
(4) f3n/f       -4.59       -4.50       -1.60       -5.11
(5) f/f3        0.05       -0.10       -0.08       -0.20 
【０１２９】
図１４は、電子撮像装置としての一眼ミラーレスカメラの断面図である。図１４において、１は一眼ミラーレスカメラ、２は鏡筒内に配置された撮影レンズ系、３は撮影レンズ系２を一眼ミラーレスカメラ１に着脱可能とする鏡筒のマウント部である。マウント部３としては、スクリュータイプのマウントやバヨネットタイプのマウント等が用いられる。この例では、バヨネットタイプのマウントを用いている。また、４は撮像素子面、５はバックモニタである。なお、撮像素子としては、小型のＣＣＤ又はＣＭＯＳ等が用いられている。
【０１３０】
そして、一眼ミラーレスカメラ１の撮影レンズ系２として、例えば上記実施例１〜８に示した本発明のインナーフォーカスレンズ系が用いられる。
【０１３１】
図１５、図１６は、本発明に係る撮像装置の構成の概念図を示す。図１５は撮像装置としてのデジタルカメラ４０の外観を示す前方斜視図、図１６は同後方斜視図である。このデジタルカメラ４０の撮影光学系４１に、本発明のインナーフォーカスレンズ系が用いられている。
【０１３２】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のインナーフォーカスレンズ系を通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記録手段に記録することができる。
【０１３３】
図１７は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０１３４】
図１７に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０１３５】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０１３６】
操作部１２は、各種の入力ボタンやスイッチを備え、これらを介して外部（カメラ使用者）から入力されるイベント情報を制御部に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０１３７】
ＣＣＤ４９は、撮像駆動回路１６により駆動制御され、撮像光学系４１を介して形成された物体像の画素ごとの光量を電気信号に変換し、ＣＤＳ／ＡＤＣ部２４に出力する撮像素子である。
【０１３８】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０１３９】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０１４０】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０１４１】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０１４２】
このように構成されたデジタルカメラ４０は、撮影光学系４１として本発明のインナーフォーカスレンズ系を採用することで、広画角、小型でありながら、画質を劣化させずに高解像の画像を得るのに有利な撮像装置とすることが可能となる。
【産業上の利用可能性】
【０１４３】
以上のように、本発明に係るインナーフォーカスレンズ系及び撮像装置は、広い範囲を、画質を劣化させずに高解像の画像を得る場合に有用である。
【符号の説明】
【０１４４】
Ｇ１…第１レンズ群
Ｇ２…第２レンズ群
Ｇ３…第３レンズ群
Ｓ…開口絞り
Ｃ…平行平板
Ｉ…像面
１…一眼ミラーレスカメラ
２…撮影レンズ系
３…鏡筒のマウント部
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニター
４９…ＣＣＤ
【図１】
0005675575.tif 000002
【図２】
0005675575.tif 000003
【図３】
0005675575.tif 000004
【図４】
0005675575.tif 000005
【図５】
0005675575.tif 000006
【図６】
0005675575.tif 000007
【図７】
0005675575.tif 000008
【図８】
0005675575.tif 000009
【図９】
0005675575.tif 000010
【図１０】
0005675575.tif 000011
【図１１】
0005675575.tif 000012
【図１２】
0005675575.tif 000013
【図１３】
0005675575.tif 000014
【図１４】
0005675575.tif 000015
【図１５】
0005675575.tif 000016
【図１６】
0005675575.tif 000017
【図１７】
0005675575.tif 000018